(57)【要約】【課題】ＣＬＢ免震装置において引張力に対する抵抗力を保持した状態で、アンカーボルトの高低についての微調整が可能な免震装置用引抜力抵抗機構及び免震装置を提供する。【解決手段】免震装置を構造物の基礎上に固定する免震装置用引抜力抵抗機構において、免震装置の下側レール部材を支持し構造物の基礎上面に設置される下側レールプレートと、前記構造物の基礎中に埋設される第１のレベル調整プレートと、上端が前記第１のレベル調整プレートに固定され前記構造物の基礎内に埋設される複数の第１のアンカーボルトと、下側が前記第１のレベル調整プレートに固定され上側が前記下側レールプレートに固定され前記第１のレベル調整プレートからの前記下側レールプレートのレベルを調整することが可能でありかつ前記構造物の基礎中に埋設される複数の第１のレベル調整手段とからなり、前記下側レールプレートのレベルは、前記第１のレベル調整プレートに基づき前記複数の第１のレベル調整手段を調整することにより調整される。【選択図】        図１
2004183410.tif 000002
【特許請求の範囲】
【請求項１】
基礎上に固定される下側レール部材と、前記基礎の上方に位置する構造物に前記下側レール部材と直交するよう固定される上側レール部材と、前記下側レール部材の上面に摺動可能に設けられた下側ブロック部材と、前記上側レール部材の下面に摺動可能に設けられた上側ブロック部材と、この上側ブロック部材と前記下側ブロック部材との間に設けられた連結装置とを具備してなる免震装置を構造物と基礎の間に固定する免震装置用引抜力抵抗機構において、
免震装置の下側レール部材を支持し、前記基礎の上面に設置される下側レールプレートと、
前記基礎中に埋設される第１のレベル調整プレートと、
上部が前記第１のレベル調整プレートに固定され前記構造物の基礎内に埋設される複数の第１のアンカーボルトと、
下部が前記第１のレベル調整プレートに固定され、上部が前記下側レールプレートに固定され、前記第１のレベル調整プレートからの前記下側レールプレートのレベルを調整することが可能であり、かつ前記構造物の基礎中に埋設される複数の第１のレベル調整手段とを含み、
前記下側レールプレートのレベルは、前記第１のレベル調整プレートに基づき前記複数の第１のレベル調整手段を調整することにより調整される免震装置用引抜力抵抗機構。
【請求項２】
前記複数の第１のアンカーボルトは、前記第１のレベル調整プレートに固定するための第１のレベル調整プレート調整用ナットと、この調整用ナットが螺合されるねじ部を有することを特徴とする請求項１記載の免震装置用引抜力抵抗機構。
【請求項３】
前記第１のレベル調整手段は、上部が前記下側レールプレートに固定されナットが螺合されるねじ部を有し、下部が前記第１のレベル調整プレートに固定されナットが螺合されるねじ部を有する両端ネジボルトからなることを特徴とする請求項１記載の免震装置用引抜力抵抗機構。
【請求項４】
前記第１のレベル調整プレートは、その表面に垂直な向きに立設された複数のリブプレートが当接されることでこの複数のリブプレートにより前記第１のレベル調整プレートの引抜時における平坦性を高く維持するよう構成されることを特徴とする請求項１乃至３のいずれかに記載の免震装置用引抜力抵抗機構。
【請求項５】
前記構造物表面に固定され前記上側レール部材を支持する上側レールプレートと、
前記構造物の構造物中に埋設される第２のレベル調整プレートと、
下端が前記第２のレベル調整プレートに固定され前記構造物中に埋設される複数の第２のアンカーボルトと、
上部が前記第２のレベル調整プレートに固定され、下部が前記上側レールプレートに固定され、前記第２のレベル調整プレートからの前記上側レールプレートのレベルを調整することが可能であり、かつ前記構造物の中に埋設される複数の第２のレベル調整手段とをさらに含み、
前記上側レールプレートのレベルは、前記第２のレベル調整プレートに基づき前記複数の第２のレベル調整手段を調整することにより調整される請求項１乃至４いずれかに記載の免震装置用引抜力抵抗機構。
【請求項６】
前記複数の第２のアンカーボルトは、前記第２のレベル調整プレートに固定するための第２のレベル調整プレート調整用ナットと、この調整用ナットが螺合されるねじ部を有することを特徴とする請求項５記載の免震装置用引抜力抵抗機構。
【請求項７】
前記第２のレベル調整手段は、下部が前記上側レールプレートに固定されナットが螺合されるねじ部を有し、上部が前記第２のレベル調整プレートに固定されナットが螺合されるねじ部を有する上側両端ネジボルトとからなることを特徴とする請求項５記載の免震装置用引抜力抵抗機構。
【請求項８】
前記第２のレベル調整プレートは、その表面に垂直な向きに立設された複数のリブプレートが当接されることでこの複数のリブプレートにより前記第２のレベル調整プレートの引抜時における平坦性を高く維持するよう構成されることを特徴とする請求項５乃至７のいずれかに記載の免震装置用引抜力抵抗機構。
【請求項９】
請求項１乃至８のいずれかに記載の免震装置用引抜力抵抗機構を有することを特徴とする免震装置。
【発明の詳細な説明】
【０００１】
【産業上の利用分野】
本発明は、引抜力に対する高い抵抗力を有すると共に、免震装置のレベル調整可能な免震装置用引抜力抵抗機構及びそれを用いた免震装置に関する。
【０００２】
【従来の技術】
免震装置は、建物等の構造物６と地盤に設けた基礎８との間に設置され、地震等による水平方向振動から建物等の構造物６を絶縁するものである。建物の荷重を支持すると共に、地盤の水平方向の振動から建物等の構造物６を絶縁する免震装置の一例として、図６に示すように、レール部材１０、１４に摺動可能に支持されたブロック体１６、１８を有する２つの直動装置１９、２１を、該レール部材１０、１４が互いに直交するように結合したクロスリニアベアリング免震装置４（以下、ＣＬＢ免震装置という）がある。
【０００３】
ＣＬＢ免震装置４は、他の免震装置に比べて引抜力に対する大きな抵抗力を有するよう設計可能な装置である。上側レール部材１４は上側レールプレート３２にボルトでねじ止め固定される。
【０００４】
ＣＬＢ免震装置４の上側レール部材１４は、その長手軸が上側レールプレート３２の長手軸に一致するように、上側レールプレート３２の下面に固定される。これら貫通孔４２に両端がねじ切りされた両端ねじボルト７０が挿入されて、両端ねじボルト７０の下端に六角高ナット７２が螺合されて上側レールプレート３２にねじ止め固定される。
【０００５】
両端ねじボルト７０の上端は六角高ナット７８より径の大きいナット７４がねじ止めされて構造物６のコンクリートに付着固定される。
【０００６】
一方、ＣＬＢ免震装置４の上側レール部材１４は、上側ブロック部材１８が摺動可能に嵌合して吊設され、上側ブロック部材１８の下部に下側ブロック部材１６が連設される。下側ブロック部材１６は、下側レール部材１０に摺動可能に設けられる。
【０００７】
下側レール部材１０は、その長手軸が下側レールプレート２２の長手軸に一致するように、下側レールプレート２２の上面に固定される。これら貫通孔４８に両端がねじ切りされたアンカーボルト７６が挿入されて、アンカーボルト７６の上端に六角高ナット７８が螺合されて下側レールプレート２２にねじ止め固定される。
【０００８】
アンカーボルト７６の下端は六角高ナット７８より径の大きいナット７４がねじ止めされて基礎８のコンクリートに固着される。
【０００９】
その他、この出願の発明に関連する先行技術文献情報としては次のものがある。
【００１０】
【特許文献１】
特開平１１−３５２５２号公報
【特許文献２】
特開２００１−３４９０９２号公報
【特許文献３】
特開２０００−７２３５１号公報
【特許文献４】
特開２０００−２８２７０７号公報
【特許文献５】
特開平９−９６３３９号公報
【特許文献６】
特開平１０−２４６３９４号公報
【００１１】
【発明が解決しようとする課題】
ここで、地震時に構造物６が中高層建築物である場合、高アスペクト比率である場合、または地震の上下動成分が大きい場合に構造物上向きの引張力が免震装置に作用することがある。これらの引張力を構造物や基礎に伝達する力は、両端ねじボルト７０、７６からなるアンカーボルトの許容付着応力度とアンカーボルトの断面積に比例する。特に許容付着応力度を高めるためには、コンクリートとの接着面積を増大させることが必要なため、アンカーボルトの長さを非常に長くする必要がある。
【００１２】
アンカーボルトの長さを非常に長くすると、アンカーボルトの位置や高さの誤差が顕著となり、その調整も困難となる。ＣＬＢ免震装置においては、水平出しは重要な要件であるため、高さの微調整が必要である。
【００１３】
そこで、本願発明の目的は、ＣＬＢ免震装置において引張力に対する抵抗力を保持した状態で、アンカーボルトのレベルの微調整が可能な免震装置用引抜力抵抗機構及びそれを有する免震装置を提供する。
【００１４】
【課題を解決するための手段】
上記の課題を解決するために、本発明に係る免震装置用引抜力抵抗機構は、基礎上に固定される下側レール部材と、前記基礎の上方に位置する構造物に前記下側レール部材と直交するよう固定される上側レール部材と、前記下側レール部材の上面に摺動可能に設けられた下側ブロック部材と、前記上側レール部材の下面に摺動可能に設けられた上側ブロック部材と、この上側ブロック部材と前記下側ブロック部材との間に設けられた連結装置とを具備してなる免震装置を構造物の基礎上に固定する免震装置用引抜力抵抗機構において、免震装置の下側レール部材を支持し構造物の基礎上面に設置される下側レールプレートと、前記構造物の基礎中に埋設される第１のレベル調整プレートと、上端が前記第１のレベル調整プレートに固定され前記構造物の基礎内に埋設される複数の第１のアンカーボルトと、下側が前記第１のレベル調整プレートに固定され上側が前記下側レールプレートに固定され前記第１のレベル調整プレートからの前記下側レールプレートのレベルを調整することが可能でありかつ前記構造物の基礎中に埋設される複数の第１のレベル調整手段とからなり、前記下側レールプレートのレベルは、前記第１のレベル調整プレートに基づき前記複数の第１のレベル調整手段を調整することにより調整される。
【００１５】
前記複数の第１のアンカーボルトは、第１のレベル調整プレートに固定するための第１のレベル調整プレート調整用ナットと、この調整用ナットが螺合されるねじ部を有してもよい。
【００１６】
第１のレベル調整手段は、上端が前記下側レールプレートに固定されナットが螺合されるねじ部を有し、下端が前記レベル調整プレートに固定されナットが螺合されるねじ部を有する両端ネジボルトとから構成しうる。
【００１７】
第１のレベル調整プレートは、その表面に垂直な向きに立設された複数のリブプレートが当接されることでこの複数のリブプレートにより前記第１のレベル調整プレートの引抜時における平坦性を高く維持するよう構成されうる。
【００１８】
構造物表面に固定され前記上側レール部材を支持する上側レールプレートと、前記構造物の構造物中に埋設される第２のレベル調整プレートと、下端が前記第２のレベル調整プレートに固定され前記構造物中に埋設される複数の第２のアンカーボルトと、上側が前記第２のレベル調整プレートに固定され下側が前記上側レールプレートに固定され前記第２のレベル調整プレートからの前記上側レールプレートのレベルを調整することが可能でありかつ前記構造物の中に埋設される複数の第２のレベル調整手段とからなり、前記上側レールプレートのレベルは、前記第２のレベル調整プレートに基づき前記複数の第２のレベル調整手段を調整することにより調整されうる。
【００１９】
複数の第２のアンカーボルトは、第２のレベル調整プレートに固定するための第２のレベル調整プレート調整用ナットと、この調整用ナットが螺合されるねじ部を有することができる。
【００２０】
第２のレベル調整手段は、下端が前記上側レールプレートに固定されナットが螺合されるねじ部を有し、上端が前記第２のレベル調整プレートに固定されナットが螺合されるねじ部を有する両端ネジボルトとから構成しうる。
【００２１】
第２のレベル調整プレートは、その表面に垂直な向きに立設された複数のリブプレートが当接されることでこの複数のリブプレートにより前記第２のレベル調整プレートの引抜時における平坦性を高く維持するよう構成されうる。
【００２２】
本発明に係る免震装置は、これらの免震装置用引抜力抵抗機構を有することを特徴とする。
【００２３】
【作用】
本発明に係る免震装置用引抜力抵抗機構は、基礎上に固定される下側レール部材と、前記基礎の上方に位置する構造物に前記下側レール部材と直交するよう固定される上側レール部材と、前記下側レール部材の上面に摺動可能に設けられた下側ブロック部材と、前記上側レール部材の下面に摺動可能に設けられた上側ブロック部材と、この上側ブロック部材と前記下側ブロック部材との間に設けられた連結装置とを具備してなる免震装置を構造物の基礎上に固定する免震装置用引抜力抵抗機構において、免震装置の下側レール部材を支持し構造物の基礎上面に設置される下側レールプレートと、前記構造物の基礎中に埋設される第１のレベル調整プレートと、上端が前記第１のレベル調整プレートに固定され前記構造物の基礎内に埋設される複数の第１のアンカーボルトと、下側が前記第１のレベル調整プレートに固定され上側が前記下側レールプレートに固定され前記第１のレベル調整プレートからの前記下側レールプレートのレベルを調整することが可能でありかつ前記構造物の基礎中に埋設される複数の第１のレベル調整手段とからなり、前記下側レールプレートのレベルは、前記第１のレベル調整プレートに基づき前記複数の第１のレベル調整手段を調整することにより調整されることで、レールプレートの高さの微調整が可能となる。
【００２４】
【発明の実施の形態】
図１乃至図３は、本発明に係る制震装置および構造物の一実施の形態を示すものである。図１は、本発明の一実施形態である引抜力抵抗機構を示す正面図であり、図２は、本発明の一実施形態である免震装置用引抜力抵抗機構を示す側面図であり、図３は、本発明の一実施形態である免震装置用引抜力抵抗機構を示す図１のＡ−Ａ断面図である。
【００２５】
図１乃至図３に示すように、本発明に係る第１の免震装置用引抜力抵抗機構２は、クロスリニアベアリング免震装置４を構造物６下かつ基礎８の上に設置する。
【００２６】
クロスリニアベアリング免震装置４は、基礎８上に固定される下側レール部材１０と、前記基礎８の上方に位置する構造物６に前記下側レール部材１０と直交するよう固定される上側レール部材１４と、前記下側レール部材１０の上面に摺動可能に設けられた下側ブロック部材１６と、前記上側レール部材１４の下面に摺動可能に設けられた上側ブロック部材１８と、この上側ブロック部材１８と前記下側ブロック部材１６との間に設けられた連結装置２０とから構成される。
【００２７】
第１の免震装置用引抜力抵抗機構２は、免震装置４の下側レール部材１０を支持し構造物の基礎８上面に設置される下側レールプレート２２と、前記構造物の基礎８中に埋設される第１のレベル調整プレート２４と、上端が前記第１のレベル調整プレート２４にナットで固定され前記構造物の基礎８内に埋設される複数の第１のアンカーボルト２６と、下側が前記第１のレベル調整プレート２４に固定され上側が前記下側レールプレート２２にねじ止め固定され前記第１のレベル調整プレート２４からの前記下側レールプレート２２のレベルを調整することが可能でありかつ前記構造物の基礎８中に埋設される複数の下側両端ねじボルト２８とから構成される。
【００２８】
下側両端ねじボルト２８は、上端が前記下側レールプレート２２に固定されナットが螺合されるねじ部を有し、下端が前記第１のレベル調整プレート２４に固定されナットが螺合されるねじ部を有する。
【００２９】
第１のレベル調整プレート２４は、その表面に垂直な向きに立設された複数の下側リブプレート３０が当接される。
【００３０】
以上のように本発明に係る第１の免震装置用引抜力抵抗機構２は、クロスリニアベアリング免震装置４を構造物６の基礎８上に固定することで、下側両端ねじボルト２８によって下側レールプレート２２のレベルの調整について、第１のアンカーボルトのレベルに左右されることなく下側両端ねじボルト２８のナットによって自由に高低を調整することができる。
【００３１】
さらに、地震が発生して、左右の揺れのみならず上下の揺れにより第１の免震装置用引抜力抵抗機構２に対して引張力が作用した場合に、第１のアンカーボルト２６と第１のレベル調整プレート２４との両方がアンカー機能を有することで本発明の免震装置は十分な引抜力抵抗を有することとなる。
【００３２】
また、下側レールプレート４を第１の免震装置用引抜力抵抗機構２で固定した上にさらに、上側レールプレート３２を上側免震装置用引抜力抵抗機構３４で固定した例を図４及び図５に示す。
【００３３】
上側免震装置用引抜力抵抗機構３４は、前記構造物表面３６に固定され前記上側レール部材１４を支持する上側レールプレート３２と、前記構造物の構造物中に埋設される第２のレベル調整プレート３８と、下端が前記第２のレベル調整プレート３８に固定され前記構造物中に埋設される複数の第２のアンカーボルト４０と、上側が前記第２のレベル調整プレート３８に固定され下側が前記上側レールプレート３２に固定され前記第２のレベル調整プレート３８からの前記上側レールプレート３２のレベルを調整することが可能でありかつ前記構造物の中に埋設される複数の上側両端ねじボルト４２とから構成される。
【００３４】
第２のアンカーボルト４０は、第２のレベル調整プレート３８に固定するための第２のレベル調整プレート調整用ナット４４と、この調整用ナット４４が螺合されるねじ部を有する。
【００３５】
上側両端ねじボルト４２は、下端が前記上側レールプレート３２に固定されナットが螺合されるねじ部を有し、上端が前記第２のレベル調整プレート３８に固定されナットが螺合されるねじ部を有する。
【００３６】
第２のレベル調整プレート３８は、その表面に垂直な向きに立設された複数のリブプレート４６が当接されることでこの複数のリブプレート４６により前記第２のレベル調整プレート３８の引抜時における平坦性を高く維持するよう構成される。
【００３７】
以上のように本発明に係る上側免震装置用引抜力抵抗機構３４は、クロスリニアベアリング免震装置４を構造物の表面３６上に固定することで、上側両端ねじボルト４２によって上側レールプレート３２のレベルの調整について、第２のアンカーボルト４０のレベルに左右されることなく上側両端ねじボルト４２のナットによって自由に高低を調整することができる。
【００３８】
さらに、地震が発生して、左右の揺れのみならず上下の揺れにより第１の免震装置用引抜力抵抗機構２に対して引張力が作用した場合に、第１の免震装置用引抜力抵抗機構２と同等の第２のアンカーボルト４０と第２のレベル調整プレート３８との両方がアンカー機能を上側免震装置用引抜力抵抗機構３４が有することで、本発明の免震装置は十分な引抜力抵抗を有することとなる。
【００３９】
続いて、本発明に係るクロスリニアベアリング免震装置４の組立施工について示す。
【００４０】
クロスリニアベアリング免震装置４は、その下側レールプレート２２が基礎８上に載置され（図１）、その下側レールプレート２２上にねじ止め固定される下側レール部材１０の長辺方向に沿って貫通孔４８が左右に複数個、本実施例では９個、穿孔される（図３）。これら貫通孔４８に両端がねじ切りされた下側両端ねじボルト２８が挿入されて、下側両端ねじボルト２８の上端に六角高ナット５０が螺合されてねじ止め固定される。
【００４１】
第１のレベル調整プレート２４は、下側レールプレート２２の貫通孔４８と同一の間隔で、下側レール部材１０の長辺方向に第１貫通孔５２が左右に複数個、本実施例では９個、穿孔される。これらの第１貫通孔５２にそれぞれ前記下側両端ねじボルト２８の下端が挿入されて、ナット５４が螺合されてねじ止め固定される。これによって、第１のレベル調整プレート２４と下側レールプレート２２とが、下側両端ねじボルト２８を介して垂直度と相対位置を保持しながら接続される。
【００４２】
第１のレベル調整プレート２４は、その上面上に第１のレベル調整プレート２４と垂直上向きな方向で、上向きにリブプレート３０が立設される。このリブプレート３０が立設されることで、地震時等の引張力による第１のレベル調整プレート２４の座屈が生じにくくなり変形性能が向上して、引張力が第１のレベル調整プレート２４を介して基礎８へ伝達されうる。第１のレベル調整プレート２４は、さらに第１貫通孔５２の両外側に、第２貫通孔５６を複数個、本実施例では９個ずつ穿孔し、第１貫通孔５２の内側に第３貫通孔５８を複数個、本実施例では９個穿孔する。
【００４３】
第２貫通孔５６と第３貫通孔５８には、両端がねじ切りされたレベル調整用の両端ねじの第１のアンカーボルト２６の上端が挿入され、調整用ナット６０がそれぞれ第１のアンカーボルト２６に螺合されて第１のレベル調整プレート２４とねじ止め固定される。また、第１のアンカーボルト２６の下端には、調整用ナット６０より外形の大きい下側アンカーナット６２が螺合される。以上の各部品で構成された免震装置用引抜力抵抗機構の第１のレベル調整プレート２４が第１のアンカーボルト２６の上端で固定され、上側に第１のレベル調整プレート２４が突出した状態となるようにコンクリートが流し込まれてコンクリートブロックによる基礎８が形成されている。そして、前記第１のアンカーボルト２６の先端部に螺合された下側調整ナット７４でレベル調整されて水平出しがなされ、その周辺に水平出しモルタル等６４が打設され、その上に下側両端ねじボルト２８がナット５４で螺合されてねじ止め固定された第１のレベル調整プレート２４が載置され、規定された長さで下側両端ねじボルト２８が露出するようにその周辺にさらにモルタル等６６が打設される。
【００４４】
ここで、レベルが調整され水平出しがなされて立設された下側両端ねじボルト２８の先端部に螺合された六角高ナット５０で高さの微調整がなされ、周辺にモルタル等６８が打設され、その上に下側レールプレート２２が載置され、その下方にグラウト等が打設されて基礎と免震装置の下側レールプレート２２が固着されて免震装置用引抜力抵抗機構が形成されている。
【００４５】
以上の構成において、本発明に係る免震装置用引抜力抵抗機構の組立施行において、レベル調整が、第１のレベル調整プレート２４および下側レールプレート２２で可能であるため、容易に高さ調整等の微調整ができる。
【００４６】
また、下側両端ねじボルト２８と、第１のレベル調整プレート２４と、第１のアンカーボルト２６は、いずれもアンカーボルトとしての役割を有し、許容付着応力を向上させる表面積の増大も可能である。
【００４７】
さらに、本発明に係る免震装置用引抜力抵抗機構および免震装置に対して引張力が負荷された場合は、第１のレベル調整プレート２４にリブプレート３０も備えることで、十分な強度を有する。
【００４８】
【発明の効果】
本発明の構成に従った免震装置用引抜力抵抗機構及び免震装置を提供することでＣＬＢ免震装置において引張力に対する抵抗力を保持した状態で、アンカーボルトの高低についての微調整が可能となる。
【００４９】
すなわち、ＣＬＢ免震装置を規定の許容誤差範囲内に設置するために、レベル調整プレートが配置されるので両端ねじボルトの先端にあるナットを用いて微調整が可能となっている。リブプレートによって、引張力をレベル調整プレートを介して伝達させることができる。
【００５０】
また、ＣＬＢ免震装置の所定の位置及び高さがＣＬＢ用のアンカープレートにより決定され、ＣＬＢ免震装置の上側についてはプレートを用いることなく、両端ねじをボルトを用いて現状の構造において引張力を伝達する。
【図面の簡単な説明】
【図１】本発明の一実施形態である引抜力抵抗機構を示す正面図である。
【図２】本発明の一実施形態である免震装置用引抜力抵抗機構を示す側面図である。
【図３】本発明の一実施形態である免震装置用引抜力抵抗機構を示す断面図である。
【図４】本発明の一実施形態である引抜力抵抗機構を示す正面図である。
【図５】本発明の一実施形態である免震装置用引抜力抵抗機構を示す側面図である。
【図６】従来の免震装置と免震装置用引抜力抵抗機構を示す横断面の拡大図である。
【符号の説明】
２  下側免震装置用引抜力抵抗機構
４  クロスリニアベアリング免震装置
６  構造物
８  基礎
１０  下側レール部材
１４  上側レール部材
１６  下側ブロック部材
１８  上側ブロック部材
２０  連結装置
２２  下側レールプレート
２４  第１のレベル調整プレート
２６  第１のアンカーボルト
２８  下側両端ねじボルト
３０  下側リブプレート
３２  上側レールプレート
３４  上側免震装置用引抜力抵抗機構
３６  構造物表面
３８  第２のレベル調整プレート
４０  第２のアンカーボルト
４２  上側両端ねじボルト
４４  第２のレベル調整プレート調整用ナット
４６  リブプレート
４８  貫通孔
５０  六角高ナット
５２  第１貫通孔
５４  ナット
５６  第２貫通孔
５８  第３貫通孔
６０  調整用ナット
６２  下側アンカーナット
６４  モルタル等
６６  モルタル等
６８  モルタル等
７０  両端ねじボルト
７４  ナット
７６  アンカーボルト
７８  六角高ナット
【図１】
2004183410.tif 000003
【図２】
2004183410.tif 000004
【図３】
2004183410.tif 000005
【図４】
2004183410.tif 000006
【図５】
2004183410.tif 000007
【図６】
2004183410.tif 000008